(57)【要約】【課題】  バレル収納部内に、安定した状態にバレルを収納させ、且つ該バレルのバレル収納部への着脱を容易に行い得るクロムめっき用バレル装置を提供する。【解決手段】  架枠１に水平軸線を中心に揺動するバレル収納部２を設け、該バレル収納部２に着脱自在にバレル３を取り付ける。該バレル４の側板に、該バレル収納部２の揺動方向の前後の側板２ａ，２ａに支承させる被支承部２０を設け、その被支承部２０はバレル収納部２の側板の立ち上がり部２ａ，２ａが嵌合する下向きに開口する溝１９，１９の上端面である。該バレル４は、バレル本体１５と、該バレル本体１５の上面に設けたワークの出し入れ口に着脱自在に施した蓋部材１６とで構成し、且つ、該バレル本体１５には、その底面に陰極板２２を備え、該蓋部材１６の下面には蓋部材１６をバレル本体１６に施したとき、該バレル本体１５内に臨むように陽極部材１８を取り付け、該陰極板２２並びに陽極部材１８に連なる導電部材２３，２４を、陰極板２２並びに陽極部材１８から立ち上がり且つ絶縁材で表面を被覆した導電性の剛体で構成する。【選択図】      図３
2005336537.tif 000002
【特許請求の範囲】
【請求項１】
架枠に水平軸線を中心に揺動するバレル収納部を設け、該バレル収納部内に収納したバレルを揺動させるようにしたバレル装置において、該バレルの側板に、該バレル収納部の揺動方向の前後の側板に支承される被支承部を設けると共に、前後の支承部のうち、少なくとも一方の被支承部を、該バレル収納部の側板上部が嵌合する下向きに開口する溝に形成し、更に、該バレルは、バレル本体と、該バレル本体の上面に設けたワークの出し入れ口に着脱自在に施した蓋部材とで構成し、且つ、該バレル本体の少なくとも底面を陰極板で構成すると共に、該蓋部材の下面に該蓋部材をバレル本体に施したとき該バレル本体内に臨むように陽極部材を取り付け、該陰極板並びに該陽極部材に連なる導電部材を、該陰極板並びに該陽極部材から立ち上がり且つ絶縁材で表面を被覆された導電性の剛体で構成したことを特徴とするクロムめっき用バレル装置。
【請求項２】
該陰極板並びに該陽極部材に連なる各導電部材の上端に電源を接続する端子部を設けたことを特徴とする請求項１記載のクロムめっき用バレル装置。
【発明の詳細な説明】
【技術分野】
【０００１】
本発明は、ボールベアリング、ボルト、ナット等の小型のワーク群にクロムめっきを施すに用いるバレル装置に関する。
【背景技術】
【０００２】
一般にクロムめっきするとき、高電流密度を必要とする。そのため、バレル装置を用いてクロムめっきする場合、例えば、特開昭５６−９０９９８号公報に見られるように回転バレル側を陰極とし、該回転バレル内に陽極を臨ませたものが提案されている。
しかしこのような回転式のバレルでは、陽極を取り外すことが出来ないため、該バレルにワークを出し入れするとき、該陽極がワークの出し入れの邪魔になるという不具合がある。
そこで、本願の発明者は、特願２００３−０５８７０において、バレルを揺動型とし、バレルの蓋側に陽極を設けると共に、該陽極を蓋とともに取り外すことで、上記従来技術の不具合を解消するとともに、駆動部を備える架枠からバレルのみを取り外せるようにして、作業性を向上させたクロムめっき用バレル装置を提案した。
【特許文献１】特開昭５６−９０９９８号公報
【発明の開示】
【発明が解決しようとする課題】
【０００３】
しかし乍ら、上記の先に提案したバレル装置は、架枠に設けた箱型のバレル収納部にバレルを単に載せるだけであるため、該バレル収納部内にバレルを安定した状態に収納させることが難しく、しかも陰極並びに陽極に連なる導電線が邪魔になって作業がしにくい等の不具合があった。
本発明は、かゝる不具合を解消したクロムめっき用バレル装置を提供することを目的とする。
【課題を解決するための手段】
【０００４】
本発明は、請求項１記載の通り、架枠に水平軸線を中心に揺動するバレル収納部を設け、該バレル収納部内に収納したバレルを揺動させるようにしたバレル装置において、該バレルの側板に、該バレル収納部の揺動方向の前後の側板に支承される被支承部を設けると共に、前後の支承部のうち、少なくとも一方の被支承部を、該バレル収納部の側板上部が嵌合する下向きに開口する溝に形成し、更に、該バレルは、バレル本体と、該バレル本体の上面に設けたワークの出し入れ口に着脱自在に施した蓋部材とで構成し、且つ、該バレル本体の少なくとも底面を陰極板で構成すると共に、該蓋部材の下面に該蓋部材をバレル本体に施したとき該バレル本体内に臨むように陽極部材を取り付け、該陰極板並びに該陽極部材に連なる導電部材を、該陰極板並びに該陽極部材から立ち上がり且つ絶縁材で表面を被覆された導電性の剛体で構成したことを特徴とするクロムめっき用バレル装置に存する。
更に、本発明は、請求項１に記載のクロムめっき用バレル装置において、該陰極板並びに該陽極部材に連なる各導電部材の上端に電源を接続する端子部を設けたことを特徴とする。
【発明の効果】
【０００５】
このように、請求項１に係る発明によるときは、バレル収納部に収納されるバレルの側板に、該バレル収納部の揺動方向の前後の側板に支承される被支承部を設けると共に、該被支承部のうち、少なくとも一方の被支承部を、該バレル収納部の側板上部が嵌合する下向きに開口する溝に設けたので、該バレル収納部の側板上部が該溝に嵌ることで、バレルをバレル収納部に固定された安定した状態に収納でき、先に提案のバレル装置の課題を解消できる。而も、該陰極板並びに該陽極部材に連なる導電部材を、該陰極板並びに該陽極部材から立ち上がる絶縁材で表面を被覆された導電性の剛体で構成したので、該導電部材を握ってバレルをバレル収納部に対する取付け、又は取外しを容易に行うことができると共に、該バレルに対するワークの出し入れ操作が極めて行い易くなる。
更に、請求項２に係る発明によるときは、該陰極板並びに該陽極部材に連なる各導電部材の上端に電源と接続する接続端子部を設けたので、該端子部で、電源と連なる導電線を外すことができるので、バレルに対するワークの出し入れ操作時に導電線が邪魔となる前記に提案のバレル装置の課題を解消できる。
【発明を実施するための最良の形態】
【０００６】
本発明の実施の形態例を図１乃至図５に基づいて詳述する。
図面Ａは、バレル装置を示し、該バレル装置Ａは、架枠１と、該架枠１に水平軸線を中心に揺動自在に支持させたバレル収納部２と、架枠１に支持させて設けた、バレル収納部２を揺動させる駆動機構部３と、該バレル収納部２に装着支持されるバレル４とから成る。
以下これらを詳述すると、架枠１は、図１，図２から明らかなように、樹脂製の両側板５，５と、該両側板５，５をその下端部で両側板５，５を連結する樹脂製の連結棒６，６と、上部で両側板５、５を連結する連結棒７と、両側板５，５の上端に渡した樹脂製の天板８とを備え、これらの間に、上記バレル収納部２並びに駆動機構部３を取り付ける空間が形成されている。尚、９，９は、両側板５，５の外側に設けた該架枠１をめっき槽（図示しない）に据え付け設置するための支持腕を示す。
【０００７】
前記バレル収納部２は、上面を開放した略方形の篭型を呈し、その両側を両側板５，５の対抗面に設けた軸受１０，１０に軸支されて、該軸支部を中心に前後方向に揺動するように取り付けられる。バレル収納部２は、図３に示す如く、その揺動方向の前後の側板の上部に上下方向に立ち上がる立ち上がり部２ａ，２ａを備え、その下方はバレル４の形状に略沿う下方に向かって先細となる形状を呈し、該揺動方向の前後の側板並びに底面には、大きな開口２ｂ，２ｃを備え、該開口２ｃはバレル４の底部を遊嵌出来る大きさとする。
前記駆動機構部３は、一方の側板５に取り付けた電動機１１と、該電動機１１の回転軸に取り付けた円板１２と該円板１２に一端を軸支させ他端をバレル収納部２の側面に軸支させた樹脂製の連結棒１３とで構成されるクランク機構１４とから成り、該連結棒１３は、その中間で連結棒１３ａと連結棒１３ｂに２分され、一方の連結棒１３ｂを、これに連結棒１３の長さ方向に沿って設けた長孔１３ｃを介して他方の連結棒１３ａに締め付け固定するようにして連結棒１３の長さを変えることでバレル収納部２の揺動角度、従って又、これに装着支持させるバレル４の揺動角度を調節できるようにした。
該バレル４は、図５から明らかなように、バレル本体１５と、該バレル本体１５の上面に設けたワークの出し入れ口に着脱自在に施した無数の通液孔を穿設した樹脂製の蓋部材１６とで構成され、蓋部材１６には、その上面に、これをバレル本体１５に施蓋したとき、バレル本体１５に締め付け固定する閂１７を備え、下面には施蓋したときバレル本体１５内に臨むカーボン製の陽極部材１８を備える。
該バレル本体１５は、無数の通液孔を穿設した樹脂板で形成した方形の上半部と揺動方向の前後が下方向に先細りとなる下半部とを備え、且つバレル４をバレル収納部２内に収納したとき、バレル４の揺動方向の前後の上半部の外側面が、バレル収納部２の内側面に摺接嵌合する形状とした。
そして、該バレル収納部２の内側面に摺接嵌合する部分の側板１５ａ，１５ａの上端から夫々外側に伸びた後上下に伸びる板片１５ｂ，１５ｂを備え、各板片１５ｂの下方に伸びる板部と側板１５ａの外側面との間に、前記バレル収納部２の側板上部の立ち上がり部２ａ，２ａが嵌合する下向きに開口する溝１９を形成させ、該溝１９にバレル４の揺動方向の前後の側板の上部、即ち立ち上がり部２ａ，２ａを嵌合させたとき、該溝１９の上端面２０がバレル４がバレル収納部２の立ち上がり部２ａ，２ａにより支承されるようにした。換言すれば、該溝１９の上端面２０は、バレル４をバレル収納部２の支承部２ａ，２ａにより支承される被支承部２０として作用するようにした。
尚、図示する実施の形態例では、溝１９を、バレル４の揺動方向の前後一対に設けたが、その一方の溝を省略して単にバレル収納部２の支承部２ａ，２ａにより支承される平坦面から成る被支承部２０に形成するだけでも良い。換言すれば、一方の板片１５ｂの下方に伸びる板部は省略してもよい。
２１は各板片１５ｂの上方に伸びる板部に設けた前記閂１７の端部が嵌合する鉤孔（図１に示す）を示す。
２２は、バレル本体１５の底面に設けた銅板等の導電材からなる陰極板を示し、該陰極板２０にも無数の通液孔を備える。尚。該陰極板２０の下面には、絶縁被膜を施して置く。
２３は、蓋部材１６に設けた陽極部材１８に連なる導電部材、２４は、陰極板２２に連なる導電部材を示し、両導電部材２３，２４は、銅の棒その他の導電性の剛体の表面を絶縁材で被覆して構成し、蓋部材１６をバレル本体１５に施蓋したとき、導電部材２３，２４がバレル本体１５の揺動方向と直交する面の左右から上方に立ち上がるように配設した。更に、該導電部材２３，２４の上端には、陽極電極１８並びに陰極板２２を電源側に接続する端子部２５，２６を構成するソケットを設けると共に、該端子部２５，２６の表面に絶縁被膜を施した。
かくすることで、バレル収納部２からバレル４を取り外すとき、先ず該端子部２５，２６で電源側との接続を解き、その後、該導電部材２３，２４を持って簡単にバレル４を取り外すことが出来る。
２７は、架枠１の下部に、バレル４をバレル収納部２に支持させたとき、バレル４の底面と間隔を存して対向するように取り付けた陽極板を示し、該陽極板２７の下面には絶縁被膜を施して置く。
尚、本発明のバレル装置Ａでは、外部電源と接続する一対の接続端子部２８，２８（図２に示す）を備えた中間導電部材２９，２９を設けると共に、その夫々の該中間導電部材２９，２９に設けた、該端子部２５，２６と夫々接続する電源側の接続端子部３０，３１を、架枠１の前面側に設けて、前面側から電源への接続操作を行い得るようにした。
これを詳述すると、陰極板２２側と連なる中間導電部材２９は、架枠１の一側上部に前後方向に亘るように取り付けた銅板等の導電材をこれに当て、該中間導電部材２９の後端に接続端子部２８としてのプラグを設け、前端に中間端子部３０たるソケットを設け、該中間端子部３０と前記端子部２６とを、両端に該端子部２６，３０たるソケットに装着するプラグを備えた可撓性の導電線３３で接続して陰極板２２を外部電源に接続するようにした。
また、陽極部材１８と連なる中間導電部材２９も同様に、架枠１の他側上部に前後方向に亘るように取り付けた銅板等の導電材これに当て、該中間導電部材２９の前端に中間端子部３１たるソケットを設け、該中間端子部３１と端子部２５とを、両端に端子部たるソケットに装着するプラグを備えた可撓性の導電線で接続して陽極部材に通電するようにした。尚、両導電線３３には、バレル４が揺動するとき、その妨げとならない十分な長さを持たせることが必要である。
尚、架枠１の下部に設けた陽極板２７への通電は、陽極部材１８と連なる中間導電部材２９から分岐して下方に伸びる帯状の銅板から成る導電部材３２を介して行い、該導電部材３２の上端部に接続端子部２８としてのプラグを設けた。尚、これら導電部材２９，２９，３１の表面に絶縁被覆施して置くことは勿論である。
尚、図１において３４は、両側板５に設けた補強板、３５は、端子部たるソケット２５，２６，３０，３２に設けたこれに差し込まれるプラグを締め付け固定する蝶ねじ、３６は、バレル４の側板に設けた陽極部材１８に連なる導電部材２３を通す切欠を示す。
図３において、Ｌはめっき槽内のめっき液面を示す。この状態でバレルを揺動させるときは、特願２００３−０５８７０５の場合と同様の効果をもたらす。
【図面の簡単な説明】
【０００８】
【図１】本発明の実施の一例のクロムめっき用バレル装置の正面図。
【図２】図１の平面図。
【図３】図１のＩＩＩ−ＩＩＩ線裁断面図。
【図４】バレル収納部にバレルを取り付けた部分の平面図。
【図５】蓋とバレル本体とを分離した状態のバレルの側面図。
【符号の説明】
【０００９】
１  架枠
２  バレル収納部
２ａ  立ち上がり部
３  駆動機構部
４  バレル
１５  バレル本体
１６  蓋部材
１８  陽極部材
２０  被支承部、上端面
２２  陰極板
２３  導電部材
２４  導電部材
Ａ    バレル装置
【図１】
2005336537.tif 000003
【図２】
2005336537.tif 000004
【図３】
2005336537.tif 000005
【図４】
2005336537.tif 000006
【図５】
2005336537.tif 000007